(57)【特許請求の範囲】
【請求項１】
遊技者の操作に基づいて基準値の音量から音量を変更する音量変更手段と、
所定時間遊技が中断した後に、遊技が再開されたときの状況に応じて、再開した遊技の音量を、前記音量変更手段による遊技者が変更した音量にするか、基準値の音量にするかを決定する音量決定手段と、
所定時間遊技が中断した後に、音量を減音又は消音する減消音手段とを備え、
前記音量決定手段は、前記減消音手段により音量が減音又は消音された後に、遊技が再開されたときの状況に応じて、再開した遊技の音量を、前記音量変更手段による遊技者が変更した音量にするか、基準値の音量にするかを決定し、
前記音量決定手段により基準値の音量にすることが決定された場合は、遊技が再開されたときに、音量を基準値の音量に設定することを特徴とする遊技機。
【請求項２】
通常遊技と、前記通常遊技より遊技者に有利な有利遊技とを備え、
前記音量決定手段は、前記有利遊技中には、前記音量変更手段による遊技者が変更した音量に決定するようにしていることを特徴とする請求項１に記載の遊技機。
【請求項３】
通常遊技と、前記通常遊技より遊技者に有利な有利遊技とを備え、
前記音量決定手段は、前記有利遊技への移行を示唆する演出中には、前記音量変更手段による遊技者が変更した音量に決定するようにしていることを特徴とする請求項１又は２に記載の遊技機。
【請求項４】
所定数の遊技媒体の投入を条件に遊技が可能であり、
前記音量決定手段は、前記所定数以上の遊技媒体が投入されている場合には、前記音量変更手段による遊技者が変更した音量に決定するようにしていることを特徴とする請求項１乃至３のいずれか１項に記載の遊技機。
【発明の詳細な説明】
【技術分野】
【０００１】
この発明は、遊技が再開された際の状況に応じて、遊技者が交代したのか、一時的に離席していたかを推測し、好ましい音量で快適に遊技を行うことが可能な遊技機を提供することを目的とする。
【背景技術】
【０００２】
従来、スロットマシンなどの遊技機では、遊技機の内部に遊技店側が音量を調整することができる音量調整手段と、遊技機の外部に遊技者側が音量を調整することができる音量調整手段とを備え、遊技者側の音量の調整は、遊技店側が設定した音量調整の範囲内で可能にしている遊技機が知られている。
【先行技術文献】
【特許文献】
【０００３】
【特許文献１】特開２００４−２１５８０５号公報
【発明の概要】
【発明が解決しようとする課題】
【０００４】
しかし、遊技者が変わった場合には、変わる前まで遊技していた遊技者により調整された音量により遊技が行われ、新しい遊技者は音量を自分の好みに調整してから遊技を開始する必要があり、煩わしいという問題点があった。
一方、遊技が一定時間中断された場合に、一律に音量を基準値に戻すようにすると、遊技者が変わっていない一時的な離席の場合には、再度音量を調整する必要があり、煩わしくなるという問題点が生じてしまう。
そこで、各請求項にそれぞれ記載された各発明は、上記した従来の技術の有する問題点に鑑みてなされたものであり、その目的とするところは、次の点にある。
【０００５】
本発明は、遊技が再開された際の状況に応じて、遊技者が交代したのか、一時的に離席していたかを推測し、好ましい音量で快適に遊技を行うことが可能な遊技機を提供することを目的とする。
また、減消音された状態から遊技を再開した場合に、遊技が再開された際の状況に応じて、遊技者が交代したのか、一時的に離席していたかを推測し、好ましい音量で快適に遊技を行うことが可能な遊技機を提供することを目的とする。
【０００６】
本発明は、さらに、遊技者に有利な遊技状態の場合に、音量が基準値に戻されて、再度音量を好みの音量に変更し直すことを防止することが可能な遊技機を提供することを目的とする。
【０００７】
本発明は、さらに、遊技者に有利な遊技状態への移行を示唆する演出中の場合に、音量が基準値に戻されて、再度音量を好みの音量に変更し直すことを防止することが可能な遊技機を提供することを目的とする。
【０００８】
本発明は、さらに、遊技可能な枚数の遊技媒体が投入されている場合に、音量が基準値に戻されて、再度音量を好みの音量に変更し直すことを防止することが可能な遊技機を提供することを目的とする。 
【課題を解決するための手段】
【００１０】
本願発明は、上記した目的を達成するためになされたものであり、本願発明の特徴点を図面に示した発明の実施の形態を用いて、以下に説明する。
なお、括弧内の符号は、発明の実施の形態において用いた符号を示し、本願発明の技術的範囲を限定するものではない。
【００１１】
本発明は、遊技者の操作に基づいて基準値の音量から音量を変更する音量変更手段343と、所定時間遊技が中断した後に、遊技が再開されたときの状況に応じて、再開した遊技の音量を、前記音量変更手段343による遊技者が変更した音量にするか、基準値の音量にするかを決定する音量決定手段344と、所定時間遊技が中断した後に、音量を減音又は消音する減消音手段341とを備え、前記音量決定手段344は、前記減消音手段341により音量が減音又は消音された後に、遊技が再開されたときの状況に応じて、再開した遊技の音量を、前記音量変更手段343による遊技者が変更した音量にするか、基準値の音量にするかを決定し、前記音量決定手段344により基準値の音量にすることが決定された場合は、遊技が再開されたときに、音量を基準値の音量に設定することを特徴とする。
これにより、遊技が再開された際の状況に応じて、遊技者が交代したのか、一時的に離席していたかを推測し、好ましい音量で快適に遊技を行うことが可能な遊技機を提供することができる。
また、減消音された状態から遊技を再開した場合に、遊技が再開された際の状況に応じて、遊技者が交代したのか、一時的に離席していたかを推測し、好ましい音量で快適に遊技を行うことが可能な遊技機を提供することができる。
【００１２】
本発明は、さらに、通常遊技と、前記通常遊技より遊技者に有利な有利遊技とを備え、前記音量決定手段344は、前記有利遊技中には、前記音量変更手段343による遊技者が変更した音量に決定するようにしている。
ここで、「通常遊技より遊技者に対して有利な有利遊技」には、いわゆるＡＴやＡＲＴなどの、当選役に関する報知が行われる演出状態を含むが、これに限定されない。
これにより、遊技者に有利な遊技状態の場合に、音量が基準値に戻されて、再度音量を好みの音量に変更し直すことを防止することが可能な遊技機を提供することができる。
【００１３】
本発明は、さらに、通常遊技と、前記通常遊技より遊技者に有利な有利遊技とを備え、前記音量決定手段344は、前記有利遊技への移行を示唆する演出中には、前記音量変更手段343による遊技者が変更した音量に決定するようにしていることを特徴とする。
ここで、「通常遊技より遊技者に対して有利な有利遊技」には、いわゆるＡＴやＡＲＴなどの、当選役に関する報知が行われる演出状態を含むが、これに限定されない。
これにより、遊技者に有利な遊技状態への移行を示唆する演出中の場合に、音量が基準値に戻されて、再度音量を好みの音量に変更し直すことを防止することが可能な遊技機を提供することができる。
【００１４】
本発明は、さらに、所定数の遊技媒体の投入を条件に遊技が可能であり、前記音量決定手段344は、前記所定数以上の遊技媒体が投入されている場合には、前記音量変更手段343による遊技者が変更した音量に決定するようにしていることを特徴とする。
ここで、「所定数以上の遊技媒体が投入されている場合」、所定数、例えば３枚のメダルの投入を条件に遊技が可能な遊技機であるときは、当該所定数である３枚以上のメダルの投入がされている場合が含まれる。 
これにより、遊技可能な枚数の遊技媒体が投入されている場合に、音量が基準値に戻されて、再度音量を好みの音量に変更し直すことを防止することが可能な遊技機を提供することができる。
【発明の効果】
【００１６】
本発明は、以上のように構成されているので、以下に記載されるような効果を奏する。
本発明によれば、遊技が再開された際の状況に応じて、遊技者が交代したのか、一時的に離席していたかを推測し、好ましい音量で快適に遊技を行うことが可能な遊技機を提供することができる。
また、本発明によれば、減消音された状態から遊技を再開した場合に、遊技が再開された際の状況に応じて、遊技者が交代したのか、一時的に離席していたかを推測し、好ましい音量で快適に遊技を行うことが可能な遊技機を提供することができる。
【００１７】
本発明によれば、さらに、遊技者に有利な遊技状態の場合に、音量が基準値に戻されて、再度音量を好みの音量に変更し直すことを防止することが可能な遊技機を提供することができる。
【００１８】
本発明によれば、さらに、遊技者に有利な遊技状態への移行を示唆する演出中の場合に、音量が基準値に戻されて、再度音量を好みの音量に変更し直すことを防止することが可能な遊技機を提供することができる。
【００１９】
本発明によれば、さらに、遊技可能な枚数の遊技媒体が投入されている場合に、音量が基準値に戻されて、再度音量を好みの音量に変更し直すことを防止することが可能な遊技機を提供することができる。
【図面の簡単な説明】
【００２１】
【図１】本発明の実施の形態であって、遊技機を示す外観正面図である。
【図２】本発明の実施の形態であって、各リールに設けてある図柄の配置を示す図である。
【図３】本発明の実施の形態であって、遊技機の入力、制御及び出力を示すブロック図である。
【図４】本発明の実施の形態であって、ボーナス役の図柄組合せ等を示す図である。
【図５】本発明の実施の形態であって、ベル役の図柄組合せ等を示す図である。
【図６】本発明の実施の形態であって、スイカ役の図柄組合せ等を示す図である。
【図７】本発明の実施の形態であって、チェリー役の図柄組合せ等を示す図である。
【図８】本発明の実施の形態であって、再遊技役の図柄組合せ等を示す図である。
【図９】本発明の実施の形態であって、８枚ベル役における重複当選役（同時当選役）を示す図である。
【図１０】本発明の実施の形態であって、３枚ベル役における重複当選役（同時当選役）を示す図である。
【図１１】本発明の実施の形態であって、再遊技役における重複当選役（同時当選役）の停止操作順を示す図である。
【図１２】本発明の実施の形態であって、停止操作順毎の入賞役を示す図である。
【図１３】本発明の実施の形態であって、遊技進行制御手段における遊技状態の移行状態を示す図である。
【図１４】本発明の実施の形態であって、演出の移行状態を示す図である。
【図１５】本発明の実施の形態であって、音量変更の操作例と画面例とを説明するための図である。
【図１６】本発明の実施の形態であって、遊技進行制御手段における遊技制御処理を示すフローチャートである。
【図１７】本発明の実施の形態であって、音量決定処理を示すフローチャートである。
【発明を実施するための形態】
【００２２】
本明細書では、各説明箇所において、方向についての定義等が示されていない場合には、遊技機10の方を向いて位置している遊技者から見て、遊技機10から遊技者の手前側に向かう方向を「前方向」とし、その逆方向を「後方向」とする。また、同様に、「左方向」や「右方向」等の左右方向も、遊技者から見た場合の左方向や、右方向を意味する。同様に、各部材の説明においても、方向についての定義等が示されていない場合には、各部材を、遊技機10の所定位置に固定した状態における遊技者から見た方向を意味する。
本実施の形態に係る遊技機10としてのスロットマシンを、以下、図１を参照しながら説明する。本実施の形態に係る遊技機10としてのスロットマシンは、前方向に向かって開口する正面開口を有する四角箱状の筐体12と、この筐体12の正面開口を開閉自在に覆う前扉14とを備えている。
【００２３】
前扉14の上部には、薄板樹脂からなる上パネル20を備えている。この上パネル20の略中央には、３個のリール62（正面から向かって左側の左リール64、中央の中リール66、右側の右リール68）の円周上の図柄650を見ることができる透過可能な図柄表示窓部16が形成されている。この図柄表示窓部16は、３個全てのリール62の回転が停止した際には、縦３列横３行に配置した合計９個の図柄650を遊技者に見せるように形成されている。この図柄表示窓部16は、リール62の正面側に設けられて、リール62の回転が停止した際、後述する有効ライン86上に停止している複数の図柄650を視認するためのものである。リール62は、複数の図柄650を図柄表示窓部16を介して変動表示可能なものである。
【００２４】
前記図柄表示窓部16の奥には、３個の駆動モータによってリール62を回転させるためのリールユニット60が配置されている。
前記前扉14には、遊技者に役抽選の当選等の種々の情報を音や光や映像で報知させる演出装置70（図１及び図３参照）が形成されている。この演出装置70は、前扉14に配置されたスピーカー72（図１及び図３参照）と、画像表示部84（図１及び図３参照）と、ランプ78（図１及び図３参照）とを備えている。
前記スピーカー72は、前扉14の上部左右に配置された上部スピーカー74と、前扉14の下部左右に配置された下部スピーカー76とを備えている。
前記画像表示部84は、その画面に種々の映像を表示するための表示デバイスであり、動画を含んだ映像の表示を行うための液晶表示装置を有する演出ユニットを構成するものである。
前記ランプ78は、前扉14の上部に配置された上部ランプ80と、前扉14の下部に配置された下部ランプ82とを備えている。
【００２５】
筐体12内部には、遊技機10のスピーカー72から発する音量の基準値を設定するためのロータリースイッチ31が設けられている。すなわち、当該ロータリースイッチ31は、遊技者は操作できず、遊技店のみが操作可能に構成されている。ロータリースイッチ31は、左右方向に回転させることにより１０段階程度の音量レベルの設定が可能なスイッチであり、遊技店が店内の環境などに基づいて基準値の音量を設定するものである。
【００２６】
前記前扉14の下部には下パネル22が設けられている。そして、前扉14には下パネル22の上に位置して前扉14の前方向へ向けて突出する操作部30を備えている。
本実施の形態に係る遊技機10には、遊技開始の条件として後述するメダル投入口38からあらかじめ遊技媒体としてのメダルを投入して、最大５０枚までクレジットメダルとして内部に貯留可能なクレジット機能（投入枚数を電子データとして電子的に記憶し管理する機能）を有している。なお、このクレジットメダルとして貯留可能な最大枚数である５０枚を最大クレジットメダル数とする。
【００２７】
前記メダル投入口38の下には、クレジット機能によりクレジットしたメダルの全てを払い出すための精算スイッチ36が設けられている。この精算スイッチ36の左側には、操作により対応するリール62の回転を停止させるため、３個のリール62のそれぞれに対応する３個のストップスイッチ50が設けられている。このストップスイッチ50は、左リール64を停止させるための左ストップスイッチLと、中リール66を停止させるための中ストップスイッチCと、右リール68を停止させるための右ストップスイッチRとを有している。すなわち、これらのストップスイッチ50は、複数のリール62それぞれに対応して設けられ、複数のリール62の図柄650の変動表示の開始後、遊技者の操作によりリール62の図柄650の変動表示を個別に停止させるためのものである。このストップスイッチ50の左側には、メダルの投入又は後述するマックスベットスイッチ34の操作を条件にリール62の回転を開始させるためのスタートスイッチ40が設けられている。すなわち、このスタートスイッチ40は、遊技者の操作によりリール62の図柄650の変動表示を開始させるためのものである。このスタートスイッチ40の上には、クレジットしたメダル数から最大投入枚数（具体的には３枚）に達するまで投入可能なメダル数を減じて３枚のメダル投入に代えるマックスベットスイッチ34が設けられている。なお、本実施の形態では、後述するように有効ライン86は１本であるため、マックスベットスイッチ34の他に、クレジットしたメダルを１枚減じて１枚のメダル投入に代えるシングルベットスイッチを設けていないが、有効ラインを１本以外の２本以上の複数本設定されている場合は、投入枚数を遊技者が選択可能にするために、シングルベットスイッチを設けるようにしても良い。また、後述するＣＢＢ中には上記３枚投入が２枚投入に設定されている。また、ストップスイッチ50の上側には、音量変更スイッチ32が設けられている。音量変更スイッチ32は、左スイッチ32aと、中スイッチ32b、右スイッチ32cにより構成され、遊技者による音量を変更するために使用されるものである。なお、音量変更スイッチ32は、遊技者による音量を変更するためにのみ用いられるものではなく、各種の演出中に使用される。
【００２８】
前記前扉14の下部の奥には、メダルを貯留することができるとともに、メダルを払い出すことができるホッパーユニット24（図３参照）と、電源投入又は電源遮断のための操作が可能な電源スイッチを有すると共に各部品に電力を供給するための電源装置（図示せず）とが配置されている。
そして、前扉14の下部には、所定の場合にホッパーユニット24からメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００２９】
本実施の形態に係る遊技機10は、マックスベットスイッチ34の操作又はメダル投入により所定枚数のメダルを投入することにより遊技の開始を可能とするものである。そして、スタートスイッチ40の押下操作により、リール62の回転を開始させて遊技が開始されるとともに、役抽選が行われる。そして、当該遊技機10は、各リール62に対応するストップスイッチ50の操作タイミング及び役抽選の結果に基づいて、リール62の回転を役抽選の結果に適合するように停止させる。当該遊技機10は、停止時の図柄650の組合せによって、当選した役を構成する図柄650の組合せが所定の有効なライン（所定の役の図柄650の組合せが当該ライン上に揃ったときに所定の利益が付与されるラインのことであり、以下、有効ライン86とする。）上に停止した場合に、入賞等となり、所定枚数のメダルを払い出す等の所定の利益を遊技者に付与する。これにより、１回の遊技が終了するものである。
【００３０】
なお「有効ライン86」は後述の遊技結果判定手段230の判定対象となるラインを意味し、後述する小役の「入賞」等は有効ライン86上に役に対応した図柄650の組合せが揃うことを意味する。本実施の形態の有効ライン86は、左リール64の中段と、中リール66、右リール68の上段とを結んだ１本のみからなるものである。また、有効ライン86は１本に限定されず、２本以上であっても良い。
図２に示すように、左リール64、中リール66及び右リール68の表面には、「赤７（Ｒ７）」、「ベル（ＢＥ）」、「リプレイ（ＲＰ）」、「チェリー１（Ｃ１）」、「チェリー２（Ｃ２）」、「スイカ１（Ｗ１）」、「スイカ２（Ｗ２）」、「ＢＲ」、「Ｂ１」、「Ｂ２」等の複数の種々の図柄650が形成されている。
【００３１】
これら図柄650は、それぞれの絵柄がプリントされたテープをリール62の外周表面に貼付することで形成されている。なお、図２の図柄番号（コマ番号）は、リール62の外周表面に物理的に付されているものではなく、仮想的な番号であって、各図柄650の停止を制御するためのプログラムで特定の図柄650を指定するためのものである。
【００３２】
図３に示すように、遊技機10の内部には、遊技機10の全体の動作を制御するための遊技制御手段100が形成されている。前記遊技制御手段100は、遊技を進行させて遊技状態を制御する遊技進行制御手段200と、この遊技進行制御手段200からの情報（コマンド）を受けて、遊技の進行に応じた演出を制御し、主に遊技内容に関する情報を遊技者に報知する演出を行うために演出状態を制御する演出制御手段300とを備えている。なお、遊技進行制御手段200と演出制御手段300との間は、遊技進行制御手段200への不正操作を防止するために、遊技進行制御手段200から演出制御手段300への一方向の通信により行われている。遊技進行制御手段200は、マックスベットスイッチ34、精算スイッチ36、スタートスイッチ40、ストップスイッチ50の入力を受け付け、役抽選を行い、リールユニット60及びホッパーユニット24の作動を制御する。演出制御手段300は、遊技進行制御手段200、ロータリースイッチ31、音量変更スイッチ32から信号を入力し、画像表示部84等の演出装置70の作動を制御する。演出制御手段300の出力側には、演出装置70としてのスピーカー72、画像表示部84、ランプ78の各パーツが接続されている。
【００３３】
なお、特に図示していないが、遊技進行制御手段200を有するメイン基板と、演出制御手段300を有するサブ基板とは、それぞれ専用の基板ケースの内部に収納されている。具体的には、遊技進行制御手段200は、メイン基板ケースの内部に収納され、演出制御手段300は、サブ基板ケースの内部に収納されている。そして、メイン基板ケースは、筐体12内部の奥側の上部に固定され、サブ基板ケースは、筐体12内部の正面から向かって左側に固定されている。
【００３４】
遊技進行制御手段200、演出制御手段300のそれぞれは、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００３５】
（遊技進行制御手段200）
遊技進行制御手段200は、役抽選手段210、リール制御手段220、遊技結果判定手段230、通常状態制御手段240、特定遊技制御手段250、ボーナス遊技制御手段260、特殊遊技制御手段270、ホッパー制御手段280及びフリーズ制御手段290の各手段を有する。各手段の詳細については後述する。
なお、これらの手段、特に、特殊遊技制御手段270は、遊技進行制御手段200ではなく、演出制御手段300が有しても良い。
以上の構成をもって、遊技進行制御手段200は、役の抽選を行い、リール62の回転及び停止を制御し、リール62がすべて停止したときに停止図柄判定を行い、遊技の進行を行う手段として機能することとなる。
【００３６】
遊技進行制御手段200は、遊技を制御するためのものであって、メイン遊技を実行するためのものである。以下、本実施の形態における遊技について説明する。
規定の賭け数（３枚）が設定されると、１本の有効ライン86（図１参照）が設定される。なお、本実施の形態に係る遊技機10は、規定の賭け数として３が設定されている。賭け数を設定する方法には、メダル投入口38からメダルを投入する方法と、マックスベットスイッチ34を操作することによってクレジットメダルを賭け数として設定する方法とがある。そして、規定の賭け数（３枚）が設定されていることを条件に、スタートスイッチ40を操作すると、賭け数が確定し、役抽選手段210により、複数の役のいずれかに当選したか又はハズレかの抽選（役抽選）が行われる。また、役抽選とほぼ同時に、前回の遊技でのリール62の回転開始時から所定の時間（本実施の形態では、４．１秒）が経過しているか否かが判定され、所定の時間が経過すると、３個すべてのリール62の回転が開始する。なお、本実施の形態では、後述するボーナス遊技（ＣＢＢ）中のみ上記規定数が２に設定されている。
【００３７】
本実施の形態では、役として、大別すると、小役（メダルの払い出しを伴う役）、再遊技役（遊技者所有のメダルを使用することなく次回の遊技を開始可能とする役、いわゆるリプレイ役）、移行役（遊技状態の移行を伴う役）が設けられている。
リール62の回転開始後、所定の条件（本実施の形態では、リール62を加速する処理を実行した後、所定のセンサによりリール62の回転位置が基準位置であることを検出すること）が成立すると、ストップスイッチ50の操作が可能な状態（停止操作可能状態）となる。
その後に、３個のストップスイッチ50のうち１個を操作すると、当該ストップスイッチ50に対応したリール62の回転が停止する。そして、３個すべてのストップスイッチ50の操作を終えると、３個すべてのリール62の回転が停止する。
【００３８】
このとき、有効ライン86上に所定の図柄650の組合せが揃うと、当該図柄650の組合せに対応した処理が行われる。本実施の形態に係る遊技機10は、有効ライン86上に予め定められた図柄650の組合せが揃うと遊技者に利益が付与されるように形成されている。例えば小役に対応した図柄650の組合せが有効ライン86上に揃うと、小役に対応した枚数のメダルが遊技者に対して付与される（図５〜７参照）。
また、本実施の形態では、通常に行われる通常状態と、この通常状態よりも遊技者へ付与される利益がより大きくなり得るボーナス遊技状態、特定遊技状態（ＲＴ遊技状態）及びＡＴ遊技状態とが設けられている。前記ボーナス遊技状態は、いわゆるチャレンジボーナス（ＣＢＢ））を実行可能なＣＢＢ遊技状態がある。前記特定遊技状態は、いわゆるリプレイタイム（ＲＴ）を実行可能なリプレイタイム遊技状態（ＲＴ遊技状態）がある。また、前記ＡＴ遊技状態は、いわゆるアシストタイム（ＡＴ）を実行可能なアシストタイム遊技状態というが、ＡＴとＲＴとを組合せたいわゆるアシストリプレイタイム（ＡＲＴ）を実行可能なアシストリプレイタイム遊技状態（ＡＲＴ遊技状態）を含むものである。
【００３９】
前記リプレイタイム遊技状態（ＲＴ遊技状態）は、再遊技役（リプレイ役）の当選の確率が通常状態での遊技よりも高く（或いは低く）設定されたものである。このＲＴ遊技状態は、メイン基板を有する特定遊技制御手段250により制御される。
前記アシストタイム（ＡＴ）は、ストップスイッチ50の停止操作順番や当選図柄等を報知することによって役に係る図柄650の組合せを有効ライン86上に揃って停止させるためのアシストをする遊技状態である。このＡＴは、演出（演出装置70を用いて実行する報知演出）に関するものであり、主に、演出制御手段300により制御されるものである。
前記アシストリプレイタイム遊技状態（ＡＲＴ遊技状態）は、ＡＴ遊技状態とＲＴ遊技状態とを組合せたものである。
【００４０】
ボーナス遊技は、移行役としてのボーナス移行役に当選し、さらにボーナス移行役に対応した図柄の組合せ（例えば、図４に示す、「Ｃ１、Ｂ２、Ｂ１」）が有効ライン86上に揃うと、揃った遊技の次回の遊技から開始される遊技である。なお、ボーナス移行役は、当選時の遊技で有効ライン86上にボーナス移行役に対応する図柄の組合せが揃わなくても、次回の遊技以降、有効ライン86上にボーナス移行役に対応する図柄の組合せが揃うまでボーナス移行役に当選した状態が有効である。その他の役は、当選時の遊技で有効ライン86上に役に対応する図柄の組合せが揃わなければ、次回の遊技以降は無効となる。ボーナス遊技状態は、ボーナス遊技状態中に遊技者へ払い出したメダルの総枚数が予め設定された枚数を超えたときに終了する。
【００４１】
本実施の形態では、ボーナス遊技状態として、主に遊技進行制御手段200により制御されるチャレンジボーナス遊技状態（ＣＢＢ）が設けられている。チャレンジボーナス遊技状態は、全ての小役を当選状態にすることで小役の入賞を容易にしているものである。なお、チャレンジボーナス遊技状態中は所定の場合にストップスイッチ50の操作時から７５ｍｓ以内に停止させることになっており、通常状態よりもいわゆる滑りコマ数が少なくなっている。具体的には、本実施の形態に係るチャレンジボーナス遊技状態では、右リール68は、右ストップスイッチRを停止操作したときのタイミングで表示位置にある図柄と、その図柄の１コマ上の図柄との２コマの範囲内の中から停止可能な、いわゆる「１コマすべり」の状態となっている。本実施の形態に係るチャレンジボーナス遊技状態は３４枚を超える払出枚数で終了する。もちろん、この終了条件は３４枚に限定されるものではなく、他の枚数でもよいものである。
【００４２】
また、有効ライン86上に再遊技役（リプレイ役）に対応する図柄の組合せが揃うと、メダルの払い出しはないものの、次回の遊技において遊技者所有のメダルを使用することなく賭け数が自動的に設定され遊技を行うことができる。
【００４３】
（役抽選手段210）
役抽選手段210は、遊技進行制御手段200が備える手段であり、スタートスイッチ40の操作を契機に、複数の役のいずれかに当選か又はハズレかの抽選（役抽選）を行うためのものである。役抽選手段210は、役に当選したか否かを決定するための抽選データを備えており、遊技進行制御手段200のＲＯＭ上に記憶されている。役抽選手段210は、予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。
また、役抽選手段210が行う抽選には、図９乃至図１１を用いて後述するように、特典の異なる複数の役が同時に当選するか否かの抽選を含む。
ここで、特典の異なる複数の役は、リール制御手段220により、ストップスイッチ50が所定の操作順番で操作された場合に予め定められたリール62の図柄が停止されるように設定されている。
なお、役抽選手段210による処理は、後述するステップ１１２（図１６参照）において行われる。
【００４４】
（リール制御手段220）
リール制御手段220は、遊技進行制御手段200が備える手段であり、各リール62の回転を停止させるためのものである。リール制御手段220は、役抽選手段210の抽選結果と、各ストップスイッチ50が操作されたときの対応するリール62の回転位置とに基づいて、各リール62の回転を停止させる。
具体的には、各リール62の駆動モータを制御することで、回転方向に予め定められた図柄数分、本実施の形態では４コマ以内の図柄までの範囲に、当選した役に対応する図柄が含まれている場合には、当該図柄が有効ライン86上に揃うように引き込み制御を行い、且つ、当選していない役に対応した図柄が有効ライン86上に揃わないように蹴飛ばし制御を行う。
なお、リール制御手段220は、必要に応じて各ストップスイッチ50が停止操作されるときの順番（停止操作順番）が所定の条件に適合しているか否かも停止させる条件にする場合がある。リール制御手段220による処理は、後述するステップ１１３（図１６参照）において行われる。
【００４５】
（遊技結果判定手段230）
遊技結果判定手段230は、遊技進行制御手段200が備える手段であり、すべてのリール62が停止した際における有効ライン86上の図柄の組合せを記憶するとともに入賞等の判定をするためのものである。なお、遊技結果判定手段230による処理は、後述するステップ１１４（図１６参照）において行われる。
【００４６】
（通常状態制御手段240）
通常状態制御手段240は、通常状態の進行を制御するものである。
ここで、通常状態とは、後述する特定遊技制御手段250によるリプレイタイム（ＲＴ）や、ボーナス遊技制御手段260によるＣＢＢ以外の遊技状態をいう。
なお、通常状態中は、再遊技役の当選確率は、リプレイタイム（ＲＴ）より低く設定されている。
【００４７】
（特定遊技制御手段250）
特定遊技制御手段250は、特定遊技、本実施の形態ではリプレイタイム「ＲＴ」の進行を制御するものである。
【００４８】
（ボーナス遊技制御手段260）
ボーナス遊技制御手段260は、ボーナス遊技、本実施の形態では「ＣＢＢ」の進行を制御するものである。
なお、ＣＢＢ中は、再遊技役の当選確率は「０」に設定されている。
【００４９】
（特殊遊技制御手段270）
特殊遊技制御手段270は、通常遊技より有利な有利遊技の一例である特殊遊技を制御するものであり、本実施の形態では、特殊遊技とは、所定ゲーム数の間、役抽選手段210の抽選結果に応じて、ＡＴのストック抽選を行う遊技状態をいう。
また、特殊遊技制御手段270は、特殊遊技中に、毎ゲーム、リール演出の抽選を行うとともに、特殊遊技が予め定められたゲーム数に達した場合には、リール演出が発生するように設定されている。
ここで、リール演出は、メダルを投入せずに、所定の遊技が可能なゲーム等である。
なお、当選したＡＴのストックは、後述する遊技回数制御手段の遊技数カウンタに記憶される。
また、特殊遊技は、上記のＡＴのストック抽選を行う場合に限定されず、通常遊技より高確率でＡＴ移行抽選に当選する遊技状態や、特殊遊技中にポイントを貯めて、特殊遊技終了時に当該ポイントを利用してＡＴ移行抽選を行う遊技状態などであっても良い。
【００５０】
（ホッパー制御手段280）
ホッパー制御手段280は、遊技結果判定手段230の判定結果に基づいて、メダル払い出し等の所定の処理を行うためのものである。ホッパー制御手段280は、遊技結果判定手段230の判定の結果、小役が入賞していると判定されるとメダルの払い出しを行う。
【００５１】
（フリーズ制御手段290）
フリーズ制御手段290は、遊技進行制御手段200の制御に基づく遊技の進行を所定時間停止するフリーズを実行するものである。
フリーズ制御手段290は、本実施の形態では、所定の役に当選し、所定の停止操作順番でストップスイッチ50の操作がされた場合に、当該ストップスイッチ50の操作のいわゆる第３停止から所定条件が成立するまでの間、次ゲームの遊技の開始を停止、すなわち、メダルの投入又はマックスベットスイッチ34の操作によるベットが不能とさせるフリーズを実行する。
そして、所定条件が成立後、遊技の進行が再開される。
なお、上述した第３停止後から所定条件が成立するまでの間、フリーズを実行する場合に限定されない。
また、フリーズ制御手段290によるフリーズは、上述した第３停止後のものに限定されず、スタートスイッチ40操作後の回転リールの回転開始を留保するフリーズを実行しても良い。
ここで、所定条件には、予め定められた時間が経過することや、遊技者が所定の操作を行ったこと等を含む。
【００５２】
（演出制御手段300）
演出制御手段300は、通常遊技制御手段310、特殊遊技演出制御手段320、ＡＴ遊技制御手段330及び音量制御手段340の各手段を有する。手段の詳細については後述する。なお、ＡＴ遊技制御手段330は、演出制御手段300ではなく、遊技進行制御手段200が有しても良い。
以上の構成をもって、演出制御手段300は、演出の有無、態様を決定し、遊技の状態に応じた演出を制御する手段として機能することとなる。
演出制御手段300は、所定の演出を実行することが決定された場合に演出を実行するためのものである。
具体的には、演出制御手段300は、ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、画像表示部84を駆動するための液晶制御基板（図示せず）に対して出力する映像データを規定するデータを出力したり、前表示部91を駆動するための液晶制御基板（図示せず）に対して出力する映像データを規定するデータを出力したりする。
【００５３】
（通常遊技制御手段310）
通常遊技制御手段310は、通常遊技の進行を制御するものである。
ここで、通常遊技とは、後述するＡＴ遊技制御手段330によるアシストタイム（ＡＴ）、アシストリプレイタイム（ＡＲＴ）、特殊遊技制御手段270による特殊遊技以外の遊技状態をいう。
【００５４】
（特殊遊技演出制御手段320）
特殊遊技演出制御手段320は、遊技進行制御手段200の特殊遊技制御手段270により制御されている特殊遊技状態の演出を制御するものである。
【００５５】
（ＡＴ遊技制御手段330）
ＡＴ遊技制御手段330は、所定の遊技区間の間、通常遊技より有利な有利遊技の一例であるＡＴの進行を制御、例えば、ＡＴ遊技状態への移行抽選や、移行制御等、するものである。
ここで、ＡＴには、上述したようにＡＲＴが含まれる。
また、ＡＴ遊技制御手段330には、図示しないが、操作態様報知手段、遊技回数制御手段、上乗せ抽選手段の各手段を有する。
【００５６】
（操作態様報知手段）
操作態様報知手段は、ＡＴ遊技状態中に、ストップスイッチ50の操作態様、例えば停止操作順を画像表示部84などを用いることにより報知するものである。
【００５７】
（遊技回数制御手段）
遊技回数制御手段は、ＡＴ遊技状態の遊技区間、本実施の形態では、ＡＴ遊技状態の遊技回数を抽選により決定し、当該遊技区間を管理するものである。
遊技回数制御手段によるＡＴ遊技の遊技回数の抽選は、後述する準備状態中にされるように設定されているが、準備状態中に限定されず、ＡＴ遊技状態開始時などに決定しても良い。
また、遊技回数制御手段には、図示しないが、ＡＴ遊技状態の遊技数カウンタを備え、ＡＴ遊技状態が進むにつれ、抽選により決定されたＡＴ遊技状態の遊技回数が記憶されたカウンタ値を減算していくように設定されている。
なお、ＡＴ遊技状態の遊技区間として遊技回数を抽選により決定する場合に限定されず、メダルの払出枚数や、小役のストップスイッチ50の停止操作順の報知回数を決定するようにしても良い。すなわち、メダルの払出枚数が決定された場合は、当該払出枚数が払い出されるまでＡＴ遊技状態が継続し、又、小役のストップスイッチ50の停止操作順の報知回数が決定された場合は、当該報知回数に達するまでＡＴ遊技状態が継続する。
【００５８】
（上乗せ抽選手段）
上乗せ抽選手段は、通常遊技中や、ＡＴ遊技状態中の毎ゲームに、当該ＡＴ遊技状態の上乗せをするか否か、及び上乗せする遊技区間、本実施の形態では上乗せする遊技数を抽選により決定するものである。
なお、ＡＴ遊技状態の上乗せをするか否かの抽選は、通常遊技中やＡＴ遊技状態中の毎ゲーム行われるものに限定されず、所定の役に当選した場合に行われるようにしても良い。
そして、上乗せ抽選手段により決定された上乗せ遊技数は、図示しないが遊技回数制御手段の遊技数カウンタに加算される。
また、上乗せ遊技数は、画像表示部84に表示され、遊技者に報知される。
【００５９】
（音量制御手段340）
音量制御手段340は、演出の音声や音楽などの音量を制御するものであり、図３に示すように、減消音手段341、音量設定手段342、音量変更手段343及び音量決定手段344の各手段を有する。
【００６０】
（減消音手段341）
減消音手段341は、所定時間遊技が中断した後に、音量を消音するものである。
例えば、遊技の終了（リールの停止）から、３０秒間、遊技が開始されなかった場合には、待機状態に移行し、音量を消音させるようにしている。
これにより、待機状態の消費電力を押さえると共に、遊技者のいない遊技機10から大きな音が出続けるという他の遊技者の迷惑を防止している。
なお、音量を消音する場合に限定されず、減音する場合も含まれる。
また、ここで消音される音量は、演出の音声や音楽などの音量であり、警告音などの音量は消音されないように設定されている。
また、待機状態では、本実施の形態では、ＡＴ遊技状態中ではない場合は、画像表示装置84を用いた演出についても中断し、待機画面を表示させるようにしている。
【００６１】
（音量設定手段342）
音量設定手段342は、遊技店により基準値の音量を設定することが可能なものである。
具体的には、遊技者には操作不可能な遊技機10の内部に設けられたロータリースイッチ31により遊技機の基準値の音量が遊技店により設定される。すなわち、遊技店により当該遊技店の環境や遊技機の演出などを考慮して基準値の音量を設定することができる。
なお、遊技店により基準値の音量が設定されない場合は、遊技機10出荷時の音量が基準値の音量として設定されている。
【００６２】
（音量変更手段343）
音量変更手段343は、遊技者の操作に基づいて基準値の音量から音量を変更するものである。
なお、遊技者の操作による音量の変更については図１５を用いて後述する。
また、ここで変更される音量は、演出等の音声や音楽などの音量であり、警告音などの音量は変更されないように設定されている。
【００６３】
（音量決定手段344）
音量決定手段344は、所定時間遊技が中断した後に、遊技が再開されたときの状況に応じて、再開した遊技の音量を、前記音量変更手段343による遊技者が変更した音量にするか、基準値の音量にするかを決定するものである。
ここで、本実施の形態では、音量決定手段344により判断される「遊技が再開されたときの状況」が次に示すものである場合は、音量変更手段343による遊技者が変更した音量に決定される。
なお、次に示すものに限定されず、例えば、価値の高いレア役に当選した場合などの、遊技者が遊技を終了しないと推測される状況や、遊技を終了しない方が良い状況が含まれる。
また、「遊技が再開」は、メダルの投入やマックスベットスイッチ34の操作、クレジットメダルが貯留されている場合のスタートスイッチ40の操作などの遊技の進行に関連する操作がされたことを意味する。
【００６４】
（１）有利遊技中
ここで、「有利遊技」には、図１４に示すＡＴ遊技状態や、特殊遊技状態、ＡＴ終了準備状態が含まれるが、これに限定されず、ＡＴ遊技状態の遊技回数を上乗せするための遊技状態である上乗せ特化ゾーンや、ＡＴ遊技状態への移行抽選の確率が高い遊技状態であるチャンスゾーンや、ボーナス状態などの通常遊技より遊技者に有利な遊技であれば良い。
（２）有利遊技への移行を示唆する演出中
ここで、「有利遊技への移行を示唆する演出」には、図１４に示す前兆モードや準備状態が含まれるが、これに限定されず、連続演出中や、有利遊技への移行の期待度の高い演出中なども含まれる。
（３）所定数以上のメダルが投入されている場合
ここで、「所定数以上のメダルが投入されている場合」は、上述したように、本実施の形態では、所定数、例えば３枚のメダルの投入を条件に遊技が可能な遊技機であるときは、当該所定数である３枚以上のメダルの投入がされている場合が含まれる。
なお、リプレイ役に当選している状態は、実際にメダルが投入されていなくても、メダルの投入なしに遊技が可能であるため、ここでいう「所定数以上のメダルが投入されている場合」に含まれる。また、ＣＢＢ中には２枚のメダルの投入を条件に遊技か可能に設定されているため、ＣＢＢ中は２枚以上のメダルが投入されている場合が含まれる。
【００６５】
また、音量決定手段344は、所定時間遊技が中断された際に、遊技が再開される際の音量を決定しておくようにしている。
すなわち、所定時間遊技が中断されたことにより待機状態に移行した際に、遊技が再開された際の音量を予め決定するようにしている。
これにより、特に遊技者が交代したと推測されたことにより、音量決定手段344により基準値の音量が決定されるような場合には、別の遊技者により遊技が再開された際に、演出の最初の音量が前の遊技者により変更された音量で実行された後に、基準値の音量で実行されるなどによる遊技者に違和感を覚えさせることを防止している。
【００６６】
図４に示すように、ボーナス移行役があり、その図柄組合せが、左リール64、中リール66、右リール68の順（以下同様）に（Ｃ１、Ｂ２、Ｂ１）であり、配当（メダル払出枚数）は０枚となっている。
【００６７】
図５に示すように、ベル役があり、ベル役には、払い出し枚数が８枚の８枚ベル役（８ＢＥ）、払い出し枚数が３枚の３枚ベル役（３ＢＥ１〜３ＢＥ３）、払い出し枚数が１枚の１枚ベル役（１ＢＥＡ１〜１ＢＥＡ１６、１ＢＥＢ１〜１ＢＥＢ５、１ＢＥＣ１〜１ＢＥＣ４、１ＢＥＤ１〜１ＢＥＤ６）がある。図柄組み合わせは、８ＢＥ（ＢＥ、ＢＥ、Ｃ１）、３ＢＥ１（Ｒ７、ＢＥ、ＲＰ）などである。
【００６８】
図６に示すように、小役（スイカ）として、ＷＭＡ１、ＷＭＡ２、ＷＭＢ１〜ＷＭＢ９までがあり、その図柄組合わせが、ＷＭＡ１（Ｗ１、Ｗ１、ＲＰ）、ＷＭＢ１（Ｂ２、Ｗ１、ＲＰ）などであり、配当は３枚となっている。
図７に示すように、小役（チェリー）として、ＣＨＡ１〜ＣＨＡ３９までがあり、その図柄組合わせが、ＣＨＡ１（ＢＲ、ＢＲ、ａｎｙ）、ＣＨＡ２（ＢＲ、Ｗ１、ａｎｙ）などであり、配当は１枚となっている。
なお、「ａｎｙ」は、どのような図柄が入賞ライン上に揃っても良いことを示す。
【００６９】
図８に示すように、再遊技役として、ＮＲＰ１〜ＮＲＰ５、ＢＥＲＰ１〜ＢＥＲＰ４、ＣＲＰＡ１〜ＣＲＰＡ８、ＣＲＰＢ１〜ＣＲＰＢ１６、７ＲＰ１〜７ＲＰ１１があり、その図柄組合わせが、ＮＲＰ１（ＲＰ、ＢＥ、Ｗ１）、ＢＥＲＰ１（ＲＰ、ＢＥ、ＢＥ）などであり、配当（メダル払出枚数）は、無し（但し次の遊技がメダル投入無しで遊技開始可能）となっている。
【００７０】
図９に示すように、役抽選の結果として、８ＢＥ、１ＢＥＢ１〜３、ＣＨＡ１３、１ＢＥＡ１、１ＢＥＡ９が同時に当選（重複して当選）する８ＢＥ（１）や、８ＢＥ、１ＢＥＢ１〜３、ＣＨＡ１３、１ＢＥＡ２、１ＢＥＡ１０が同時に当選（重複して当選）する８ＢＥ（２）、などが設けられている。
【００７１】
図１０に示すように、役抽選の結果として、３ＢＥ１〜３、１ＢＥＢ１〜３、ＣＨＡ１３、１ＢＥＡ１、１ＢＥＡ９が同時に当選（重複して当選）する３ＢＥ（１）や、３ＢＥ１〜３、１ＢＥＢ１〜３、ＣＨＡ１３、１ＢＥＡ２、１ＢＥＡ１０が同時に当選（重複して当選）する３ＢＥ（２）、などが設けられている。
【００７２】
図１１に示すように、役抽選の結果として、ＮＲＰ１〜ＮＲＰ５、ＢＥＲＰ１〜ＢＥＲＰ４、ＣＲＰＡ１が同時に当選するＢＥＲＰ（１）や、ＮＲＰ１〜ＮＲＰ５、ＢＥＲＰ１〜ＢＥＲＰ４、７ＲＰ５、７ＲＰ７、ＣＲＰＡ２が同時に当選するＢＥＲＰ（３）、などが設けられている。
【００７３】
図１２に示すように、役抽選の結果として、ストップスイッチの停止操作順に応じて、入賞する役が異なるように、（リール制御手段220が）停止制御を行う。
例えば、ＢＥＲＰ（１）の場合は、左リール第一停止（ＬＣＲ・ＬＲＣ）・右リール第一停止（ＲＬＣ・ＲＣＬ）であればリプレイ（ＮＲＰ１〜５）が成立し、中リール第一停止（ＣＬＲ・ＣＲＬ）であればベルリプレイ（ＢＥＲＰ１〜４）が成立する停止制御が行われる（図８、図１２参照）。
３ＢＥ（１）の場合は、左リール第一停止（ＬＣＲ・ＬＲＣ）であれば１枚ベル役（１ＢＥＢ１〜３、１ＢＥＡ１、１ＢＥＡ９）、チェリー役（ＣＨＡ１３）のうち、引き込み可能な範囲に図柄が配置されている場合は当該役が成立し、引き込み可能な範囲に図柄が拝呈されていない場合はハズレとなり、中リール第一停止（ＣＬＲ・ＣＲＬ）であれば３枚ベル役（３ＢＥ１〜３）が成立し、右リール第一停止（ＲＬＣ・ＲＣＬ）であれば１枚ベル役（１ＢＥＢ１〜３、１ＢＥＡ１、１ＢＥＡ９）、チェリー役（ＣＨＡ１３）のうち、引き込み可能な範囲に図柄が配置されている役が成立する停止制御が行われる（図５、図１０参照）。
８ＢＥ（１）の場合は、左リール第一停止（ＬＣＲ・ＬＲＣ）であれば１枚ベル役（１ＢＥＢ１〜３、１ＢＥＡ１、１ＢＥＡ９）、チェリー役（ＣＨＡ１３）のうち、引き込み可能な範囲に図柄が配置されている場合は当該役が成立し、引き込み可能な範囲に図柄が配置されていない場合はハズレとなり、中リール第一停止且つ左リール第二停止（ＣＬＲ）であれば８枚ベル役（８ＢＥ）が成立し、中リール第一停止且つ右リール第二停止（ＣＲＬ）・右リール第一停止（ＲＬＣ・ＲＣＬ）であれば１枚ベル役（１ＢＥＢ１〜３、１ＢＥＡ１、１ＢＥＡ９）、チェリー役（ＣＨＡ１３）のうち、引き込み可能な範囲に図柄が配置されている役が成立する停止制御が行われる（図５、図９参照）。
【００７４】
（遊技進行制御手段200の移行状態）
図１３は、遊技進行制御手段200側で管理している遊技状態の移行状態の一例を示している。
通常状態は、通常状態制御手段240により制御される通常状態の遊技が行われる遊技状態である。
通常状態における役抽選手段210による役抽選によりＣＢＢに当選した場合に、通常状態からＲＴ１状態に移行する。
移行は遊技進行制御手段200により行われる。
なお、本実施の形態において、通常状態中では数ゲーム以内にＣＢＢに当選するように設定されており、遊技進行制御手段200の遊技状態は、ＲＴ１状態で遊技される割合が大きいように設定されている。
【００７５】
ＲＴ１状態は、特定遊技制御手段250により制御される再遊技が通常状態より高確率で当選する遊技状態である。
ＲＴ１状態において、ＣＢＢのボーナス移行役の図柄組合せ（Ｃ１、Ｂ２、Ｂ１）が揃った場合に、ＲＴ１からＣＢＢに移行する。
なお、ＲＴ１状態中はＣＢＢが当選しないように、ＣＢＢを役抽選手段210の役抽選の対象外としている。
移行は遊技進行制御手段200により行われる。
ＣＢＢ状態は、ボーナス遊技制御手段260により制御されるＣＢＢが行われる遊技状態である。
ＣＢＢ状態において所定枚数、例えば、３４枚の払出がされた場合に、ＣＢＢ状態から通常状態に移行する。
移行は遊技進行制御手段200により行われる。
【００７６】
（演出制御手段300の移行状態）
図１４は、主として演出制御手段300側で管理している遊技状態の移行状態を示している。
（通常遊技）
通常遊技（通常モード）は、通常状態制御手段310により制御される通常遊技の遊技が行われる遊技状態である。
通常遊技中には、ＡＴ遊技状態への移行抽選が行われ、当該移行抽選に当選した場合に、前兆モードへの移行が行われる。
移行抽選及び遊技の移行制御は、図３のＡＴ遊技制御手段330により行われる。
なお、ＡＴ遊技状態への移行抽選に当選しない場合であっても、前兆モードへ移行する場合があり、この場合には、前兆モード終了後、準備状態へ移行せず、通常遊技（通常モード）へ戻る、いわゆるガセ前兆が行われる。
【００７７】
また、通常遊技中には、特殊遊技状態への移行抽選が行われる。当該移行抽選は、ストップスイッチ50を所定の操作順番で操作されることで入賞可能な役であり、本実施の形態では、「３ＢＥ１」に当選し、当該所定の操作順番でストップスイッチ50が操作された場合に、移行抽選に当選したとして特殊遊技状態への移行が行われる。
【００７８】
（前兆モード）
前兆モードは、ＡＴ遊技状態への移行抽選に当選している可能性を示唆する前兆演出が行われる遊技状態である。
前兆モードへの移行時に、前兆モードのゲーム数の抽選が行われ、当該抽選により決定されたゲーム数の間、前兆モードの演出が行われる。
なお、前兆モードのゲーム数は、抽選により決定された場合に限定されず、予め定められたゲーム数であっても良い。
そして、抽選により決定されたゲーム数を消化した後に、準備状態に移行し、ガセ前兆の場合は通常遊技に戻る。
なお、ガセ前兆の場合は、前兆モード中においても、ＡＴ遊技状態への移行抽選を行い、前兆モード中に当該移行抽選に当選した場合は、準備状態に移行するようにしても良い。
【００７９】
また、前兆モード中は、図３の特殊遊技制御手段270により、特殊遊技状態への移行抽選が行われ、当該移行抽選に当選した場合に、前兆モードを終了させて、特殊遊技状態へ移行する。
なお、前兆モードを終了させて特殊遊技状態へ移行する場合に限定されず、前兆モードを中断させて、ＡＴ遊技状態終了後通常遊技へ戻る際に、前兆モードを再開するようにしても良い。
ここで、特殊遊技状態への移行抽選は、予め定められた３枚ベル役、例えば３ＢＥ１に当選した場合に行われる。そして、特殊遊技状態へは、当該移行抽選に当選し、且つ、前兆モード中の操作手順報知抽選に当選し、当該報知された操作手順に従った場合に移行される。
なお、予め定められた３枚ベル役、例えば３ＢＥ１に当選し、且つ、前兆モード中の操作手順報知抽選に当選した場合であっても、特殊遊技状態への移行抽選に当選していない場合は、操作手順報知手段312は、特殊遊技状態へ移行しない操作手順を報知させるように設定されている。
【００８０】
（特殊遊技状態）
特殊遊技状態は、特殊遊技、本実施の形態では、ＡＴのストック抽選を行う遊技を実行するための遊技状態であり、図３の特殊遊技制御手段270及び特殊遊技演出制御手段320により制御される。
特殊遊技状態は、予め定められたゲーム数、本実施の形態では、１５ゲーム実行され、当該ゲーム数に達した場合に、準備状態へ移行する。
【００８１】
また、特殊遊技状態中は、毎ゲーム、遊技進行制御手段200の特殊遊技制御手段270によりリール演出抽選が行われ、当該リール演出抽選に当選した次のゲームにおいて、フリーズ制御手段290によりフリーズが行われ、当該フリーズ中に特殊遊技演出制御手段320により、ＡＴがストックされることを期待させる演出が行われる。
なお、予め定められたゲーム回数、本実施の形態では、特殊遊技状態の開始時、５ゲーム目と６ゲーム目との間、１０ゲーム目と１１ゲーム目との間、１５ゲーム目の終了後には、抽選なしにリール演出が行われ、上述したフリーズが行われる。
また、特殊遊技制御手段270により、リール演出抽選に当選した際の役抽選手段210の抽選結果に応じて、ＡＴのストック数が決定され、当該ストック数分の遊技数が遊技回数制御手段にストックされる。
【００８２】
（準備状態）
準備状態は、ＡＴを実行するための準備状態であり、図３のＡＴ遊技制御手段330により制御される。
準備状態へ移行した後に、所定の契機、本実施の形態では、「ＢＥＲＰ１〜４」に当選した際に当該「ＢＥＲＰ１〜４」に対応した押し順でストップスイッチ50を操作させるナビを表示させ、当該押し順でストップスイッチ50が操作されることが、２回のゲームで行われた場合に、ＡＴ遊技状態へ移行する。
これは、準備状態中に予め定められた役が当選した場合には、予め定められた操作態様でストップスイッチ50を操作させるナビを表示させることが設定されており、予め定められた役の当選時に予め定められた操作態様でストップスイッチ50が操作された場合には、遊技進行制御手段200が、演出制御手段300の遊技状態がＡＴ遊技状態に移行することを認識できるように設定されているためである。
また、２回目のストップスイッチの操作がされた次のゲームのスタートスイッチ操作によりリール演出が発生し、当該リール演出時にＡＴゲーム数が決定される。
【００８３】
（ＡＴ遊技状態）
ＡＴ遊技状態は、ＡＴが実行される遊技状態であり、図３のＡＴ遊技制御手段330により制御される。
また、ＡＴ遊技状態中、上乗せ抽選手段により上乗せゲーム数抽選が行われ、当該上乗せ抽選に当選した場合は、ＡＴの継続がストックされる。なお、かかる上乗せ抽選は、ＡＴ遊技の毎ゲーム行われても良いし、所定の役に当選した場合に行われるようにしても良い。
準備状態中に決定されたＡＴのゲーム数を消化した後、特殊遊技中に抽選されたＡＴの継続ストックがある場合及びＡＴ遊技状態中のＡＴの継続ストックがある場合は、再度ストック数分のＡＴが実行される。
一方、ＡＴの継続ストックがない場合は、ＡＴ遊技終了準備状態へ移行する。
【００８４】
（ＡＴ遊技終了準備状態）
ＡＴ遊技終了準備状態は、ＡＴ遊技状態への引き戻し抽選を行う遊技状態である。押し順ベル役（３枚ベル役・８枚ベル役）の当選を所定回数こぼすまで継続し、所定の役に当選した場合に引き戻し抽選を行い、引き戻し抽選に所定回数当選した場合にＡＴ遊技状態へ戻り、所定の役に所定回数当選する前にベル役の当選を所定回数こぼした場合は、通常遊技へ戻る。
【００８５】
（音量変更）
図１５を用いて音量を遊技者が変更する際の操作例と画面例について説明する。
先ず、遊技者により中スイッチ32bが操作されると図１５（ａ）の画面が表示され、音量が変更可能な状態になる。図１５（ａ）の画面には、音量変更スイッチ32に対応した操作ガイドの画像ｇと、音量レベルを表す画像ｍとが表示される。
つぎに、遊技者が基準値の音量から音量を上げる場合は、右スイッチ32cを操作し、図１５（ｂ）の画面に移行し、図１５（ａ）の画面から音量レベルを表す画像ｍが変化する。すなわち、右スイッチ32cが操作される毎に、音量レベルを表す画像ｍが１つずつ増加していく。
一方、遊技者が基準値の音量から音量を下げる場合は、左スイッチ32aを操作し、図１５（ｃ）の画面に移行し、図１５（ａ）の画面から音量レベルを表す画像ｍが変化する。すなわち、左スイッチ32cが操作される毎に、音量レベルを表す画像ｍが１つずつ減少していく。
そして、音量の変更を確定する場合は、中スイッチ32bを操作し、音量変更を終了する。
また、再度音量を変更する場合は、上記と同じように、中スイッチ32bを操作することにより、図１５（ｂ）や（ｃ）に示すような変更後の音量から再度音量を変更することができる。
【００８６】
なお、図１５では、音量変更スイッチ32が操作されたことを斜線で表している。すなわち、図１５（ｂ）では右スイッチ32cが、図１５（ｃ）では左スイッチ32aが操作されたことを表している。
また、遊技者による音量を変更する際の画面については、図１５に示すものに限定されず、又、音量変更スイッチ32を使用せず、他のスイッチ、例えば音量を変更する場合には右ストップスイッチRを、音量を上げる場合には左ストップスイッチLを、下げる場合には中ストップスイッチC、変更を確定する場合には右ストップスイッチRを操作するようにしても良い。
さらに、音量変更方法については、図１５に示すものに限定されず、中スイッチ32bが操作されずに、左スイッチ32a、または右スイッチ32cが操作された場合にも、図１５（ａ）の画面が表示されるようにしても良い。
【００８７】
（メインフロー）
図１６に示すフローチャートに基づいて、遊技進行制御手段200が１回の遊技毎に実行する遊技制御処理について説明する。
先ず、ステップ１１０において、賭け数設定処理が行われる。この賭け数設定処理では、賭け数として規定の賭け数が設定されたか否かが判定されるものである。具体的には、遊技進行制御手段200により、当該遊技の賭け数として設定されているメダルの枚数が規定の賭け数に達しているか否かの判定が行われる。本実施の形態では、規定の賭け数は、２枚又は３枚である。このため、所定数の賭け数が設定された場合に、次のステップ１１１に進む。所定数の賭け数が設定されていない場合には当該ステップにとどまることになる。
ステップ１１１において、遊技進行制御手段200により、スタートスイッチ40の操作があったか否かの判定が行われる。ここで、スタートスイッチ40の操作があったと判定されると、遊技進行制御手段200により、賭け数の設定が不可能な状態とされる。その後、次のステップ１１２に進む。一方、スタートスイッチ40の操作がないと判定されると、再度ステップ１１１となる。
【００８８】
ステップ１１２において、役抽選手段210により、役抽選処理が行われる。また、このとき、役抽選の結果が遊技進行制御手段200から演出制御手段300へ送信される。役抽選処理が終了すると、次のステップ１１３に進む。
ステップ１１３において、リールユニット60におけるリール62の回転変動処理が行われる。リール62が所定の回転速度に達した後、遊技進行制御手段200により、回転中のリール62に対応するストップスイッチ50の操作があった場合に、リール制御手段220により、各リール62の回転が停止させられる。このときのストップスイッチ50（左ストップスイッチL、中ストップスイッチC、右ストップスイッチR）の当選役に対応する停止操作順番は、遊技進行制御手段200に形成された所定の記憶領域に記憶されると共に、その後の処理にて読み出される。ここで、第３番目のストップスイッチ50の停止操作が行われると、遊技進行制御手段200から演出制御手段300へ全リール62の回転停止情報が送信される。そして、全てのリール62の回転変動処理が終了すると、次のステップ１１４に進む。
【００８９】
ステップ１１４において、遊技結果判定手段230により、有効ライン86上の図柄の組合せに対して所定の役の図柄の組合せが有効ライン86上に揃っているか否かの入賞等の判定処理が行われる。ここで、入賞等の判定処理の判定結果のデータは、遊技進行制御手段200から演出制御手段300へ送信される。そして、判定処理が終わると、次のステップ１１５に進む。
ステップ１１５において、ホッパー制御手段280により、遊技結果判定手段230の判定結果に対応した払出処理等が行われる。なお、判定結果、払出が不要な場合には、払出処理は行われない。そして、当該処理が終了する。
【００９０】
図１７に示すフローチャートに基づいて、音量決定手段344による音量決定処理について説明する。
先ず、ステップ２１０において、前の遊技から所定時間経過しているか判定される。所定時間が経過していると判定された場合は、次のステップ２１１に進む。一方、所定時間が経過していると判定されない場合は、再度ステップ２１０となる。
ステップ２１１において、減消音手段341により消音され、待機状態に移行する。そして次のステップ２１２に進む。
【００９１】
ステップ２１２において、遊技の状況が有利遊技中、例えばＡＴ遊技状態中であるか否かが判定される。有利遊技中であると判定された場合は、次のステップ２１３に進む。一方、有利遊技中であると判定されない場合は、次のステップ２１５に進む。
なお、ステップ２１２においては、有利遊技中である場合について説明したが、これに限定されず、上述したように有利遊技への移行を示唆する演出中や、所定数以上のメダルが投入されている場合などであっても良いし、携帯連動サービス起動中であってもよい。また、これらの条件（有利遊技中、有利遊技への移行を示唆する演出中、所定数以上のメダルが投入されている場合）をそれぞれ個別に判定する場合に限定されず、まず有利遊技中であるか否か、つぎに、有利遊技への移行を示唆する演出中であるか、つぎに、所定数以上のメダルが投入されているか否か等と、順次判定していくようにしても良い。
【００９２】
ステップ２１３において、遊技者により音量変更手段343による音量が変更されているか否かが判定される。音量が変更されていると判定された場合は、次のステップ２１４に進む。一方、音量が変更されていると判定されない場合は、次のステップ２１５に進む。
ステップ２１４において、遊技者により変更されている音量で再開することを設定する。そして、次のステップ２１６に進む。
また、ステップ２１５において、基準値の音量で再開することを設定する。そして、次のステップ２１６に進む。
【００９３】
ステップ２１６において、遊技を再開する操作が行われたか否かが判定される。遊技を再開する操作がされたと判定された場合は、次のステップ２１７に進む。一方、遊技を再開する操作がされたと判定されない場合は、再度ステップ２１６となる。
ステップ２１７において、ステップ２１４、又は、ステップ２１５において設定された音量で再開される。そして、処理を終了する。
なお、本発明は上記した実施形態に限定されるものではなく、その趣旨を逸脱しない限りにおいて上述したもの以外に種々の変更を行うことが可能である。
【符号の説明】
【００９４】
10  遊技機                              12  筐体
14  前扉                                16  図柄表示窓部
20  上パネル                            22  下パネル
24  ホッパーユニット                    26  メダル受け皿
28  メダル払出口
30  操作部                              31  ロータリースイッチ
32  音量変更スイッチ
34  マックスベットスイッチ              36  精算スイッチ
38  メダル投入口                        40  スタートスイッチ
50  ストップスイッチ                    L左ストップスイッチ
C 中ストップスイッチ                    R 右ストップスイッチ
60  リールユニット                      62  リール
63  リールテープ                        64  左リール
66  中リール                            68  右リール
70  演出装置                            72  スピーカー
74  上部スピーカー                      76  下部スピーカー
78  ランプ                              80  上部ランプ
82  下部ランプ                          84  表示手段
86  有効ライン
100 遊技制御手段                        200 遊技進行制御手段
210 役抽選手段                          220 リール制御手段
230 遊技結果判定手段                    240 通常状態制御手段
250 特定遊技制御手段                    260 ボーナス遊技制御手段
270 特殊遊技制御手段                    280 ホッパー制御手段
290 フリーズ制御手段
300 演出制御手段                        310 通常遊技制御手段
320 特殊遊技演出制御手段                330 ＡＴ遊技制御手段
340 音量制御手段                        341 減消音手段
342 音量設定手段                        343 音量変更手段
344 音量決定手段
650 図柄
ｇ  操作ガイドの画像                    ｍ  音量レベルを表す画像
【図１】
0006427412.tif 000002
【図２】
0006427412.tif 000003
【図３】
0006427412.tif 000004
【図４】
0006427412.tif 000005
【図５】
0006427412.tif 000006
【図６】
0006427412.tif 000007
【図７】
0006427412.tif 000008
【図８】
0006427412.tif 000009
【図９】
0006427412.tif 000010
【図１０】
0006427412.tif 000011
【図１１】
0006427412.tif 000012
【図１２】
0006427412.tif 000013
【図１３】
0006427412.tif 000014
【図１４】
0006427412.tif 000015
【図１５】
0006427412.tif 000016
【図１６】
0006427412.tif 000017
【図１７】
0006427412.tif 000018